(57)【要約】      （修正有）【課題】ティッシュボックス入りのティッシュペーパーに対する光による装飾性を高めるティッシュペーパー用装飾装置を提供すること。【解決手段】ティッシュペーパー用装飾装置は、ティッシュ透過溝１１と、ティッシュ透過溝１１の周縁に設けられティッシュボックスに載置される板部１２と、板部１２に設けられティッシュ透過溝１１の上方に有色の光を照射する１又は２以上の発光体１３とを備え、ティッシュペーパーに対する光による装飾性を高めることができる。【選択図】図１
2019099166.tif 000002
【特許請求の範囲】
【請求項１】
ティッシュ透過溝と、
前記ティッシュ透過溝の周縁に設けられティッシュボックスに載置される板部と、
前記板部に設けられ前記ティッシュ透過溝の上方に有色の光を照射する１又は２以上の発光体とを備えることを特徴とする、ティッシュペーパー用装飾装置。
【請求項２】
前記発光体は、前記ティッシュ透過溝の周縁に設けられて上斜方向に前記光を照射し、
前記光の照射軸が前記ティッシュ透過溝から３０〜１５０ｍｍ上方を通ることを特徴とする、請求項１に記載のティッシュペーパー用装飾装置。
【請求項３】
前記発光体はＬＥＤであり、前記光の色相を制御する色相制御器を備えることを特徴とする、請求項１又は２に記載のティッシュペーパー用装飾装置。
【請求項４】
前記光の光量を制御する光量制御器を備えることを特徴とする、請求項１〜３のいずれか１項に記載のティッシュペーパー用装飾装置。
【請求項５】
前記板部の上方の光量を検出する照度センサを備え、
前記光量制御器は、前記照度センサの検出した光量に対して単調非減少な関数の値を前記光の光量とすることを特徴とする、請求項４に記載のティッシュペーパー用装飾装置。
【請求項６】
前記単調非減少な関数は、前記照度センサの検出した光量と前記光の光量との差が一定の値となるものであることを特徴とする、請求項５に記載のティッシュペーパー用装飾装置。
【発明の詳細な説明】
【技術分野】
【０００１】
本発明は、ティッシュペーパーに光を照射して装飾する、ティッシュペーパー用装飾装置に関する。
【背景技術】
【０００２】
近年、ティッシュペーパーが収納された紙製のティッシュボックスが普及しており、広く用いられている。このようなティッシュボックスでは、上面に開口した取出口から内部に収納されているティッシュペーパーを引き出すと、当該ティッシュペーパーと係合してその下に収納されていたティッシュペーパーが取出口から露出し、当該露出したティッシュペーパーをさらに引くとその下に収納されていたティッシュペーパーが取出口から露出するという具合に、順次ティッシュボックス内のティッシュペーパーを取り出すことができる。このようなティッシュボックス入りのティッシュペーパーは実用品として大変便利なものであるが、インテリアとしては味気ない。
【０００３】
ティッシュペーパーのインテリア性を高めるものとして、例えば特許文献１に記載のティッシュペーパー入容器がある。特許文献１に記載のティッシュペーパー入容器は、正面に目覚まし時計が設けられ、上部の蓋の内側に鏡が設けられ、底部に照明装置が設置されている。当該照明装置から上方に光を照射することができる。ティッシュペーパーは、通常は白色で光を反射し、不整形に曲がって各方向に反射される光は、美しいものとなる。
【先行技術文献】
【特許文献】
【０００４】
【特許文献１】実開平３−４９９８５号公報
【発明の概要】
【発明が解決しようとする課題】
【０００５】
しかしながら、特許文献１に記載のティッシュペーパー入容器に市販のティッシュボックスを収納した場合、底部に配置された照明装置から照射される光がティッシュボックスに遮られてしまい、ティッシュペーパー（特にティッシュボックスの直上部分）に光を照射することができないという問題がある。
【０００６】
また、市販のティッシュボックスから取り出したティッシュペーパーのみを当該ティッシュペーパー入容器に収納したとしても、ティッシュペーパー入容器の下部に収納されたティッシュペーパーあるいはティッシュペーパー入容器に光が遮られて上部まで光が届き難いため、光による装飾性に欠けるという問題がある。
【０００７】
本発明は、ティッシュボックス入りのティッシュペーパーに対する光による装飾性を高めるティッシュペーパー用装飾装置を提供することを課題とする。
【課題を解決するための手段】
【０００８】
本発明のティッシュペーパー用装飾装置は、
ティッシュ透過溝と、
前記ティッシュ透過溝の周縁に設けられティッシュボックスに載置される板部と、
前記板部に設けられ前記ティッシュ透過溝の上方に有色の光を照射する１又は２以上の発光体とを備えることを特徴とする。
【０００９】
この特徴によれば、ティッシュボックスからティッシュ透過溝を介して上方に露出したティッシュペーパーに対して発光体から有色の光を照射することができるため、ティッシュボックス入りのティッシュペーパーに対する光による装飾性を高めることができる。すなわち、本発明のティッシュペーパー用装飾装置は、ティッシュ透過溝を備えるので、ティッシュボックスの上面に載置してのティッシュペーパーの取り出しを妨げない。これにより、ティッシュボックスの上面から光を照射することが可能となり、光がティッシュボックスに遮られずにティッシュペーパー（ティッシュボックスの直上部分を含む）を装飾することができる。ここで、「板部」はティッシュボックスの上面に載置できる形状であればよく、平板形状でなくともよい。
【００１０】
本発明のティッシュペーパー用装飾装置は、
前記発光体は、前記ティッシュ透過溝の周縁に設けられて上斜方向に前記光を照射し、
前記光の照射軸が前記ティッシュ透過溝から３０〜１５０ｍｍ上方を通ることを特徴とする。
【００１１】
この特徴によれば、ティッシュ透過溝から露出しているティッシュペーパーのうち、ティッシュ透過溝から３０〜１５０ｍｍ上方に露出しているティッシュペーパーに対して有色の光を強く照射することができ、当該ティッシュペーパーを綺麗に装飾することができる。底部に配置された照明装置から照射される光がティッシュボックスに遮られて光を照射することができない箇所が照射され、発光体をティッシュボックスの上面に載置できる本発明の特徴が活用される。
【００１２】
本発明のティッシュペーパー用装飾装置は、
前記発光体はＬＥＤであり、前記光の色相を制御する色相制御器を備えることを特徴とする。
【００１３】
この特徴によれば、ＬＥＤの光でティッシュペーパーを照射し、色相制御器でＬＥＤの色相を制御することができるため、ティッシュペーパーに対する光による装飾性を高めることができる。
【００１４】
本発明のティッシュペーパー用装飾装置は、
前記光の光量を制御する光量制御器を備えることを特徴とする。
【００１５】
この特徴によれば、光量制御器で光量を制御することができるため、状況に応じてティッシュペーパーに照射する光の光量を制御し、ティッシュペーパーに対する光による装飾性を高めることができる。
【００１６】
本発明のティッシュペーパー用装飾装置は、
前記板部の上方の光量を検出する照度センサを備え、
前記光量制御器は、前記照度センサの検出した光量に対して単調非減少な関数の値を前記光の光量とすることを特徴とする。
【００１７】
この特徴によれば、板部の上方の光量が増加するほど、ティッシュペーパーに照射される光量が増加する（少なくとも減少しない）ため、ティッシュペーパーを周囲の光量に合わせた適切な明るさの光で綺麗に装飾することができる。
【００１８】
本発明のティッシュペーパー用装飾装置は、
前記単調非減少な関数は、前記照度センサの検出した光量と前記光の光量との差が一定の値となるものであることを特徴とする。
【００１９】
この特徴によれば、板部の上方の光量が増減すると、ティッシュペーパーに照射される光量は同じだけ増減するため、周囲の明るさに対応した光量でティッシュペーパーを綺麗に装飾することができる。
【発明の効果】
【００２０】
本発明によれば、ティッシュボックスからティッシュ透過溝を介して上方に露出したティッシュペーパーに対して発光体から有色の光を照射することができるため、ティッシュボックス入りのティッシュペーパーに対する光による装飾性を高めることができる。
【図面の簡単な説明】
【００２１】
【図１】図１は、ティッシュペーパー用装飾装置の外観を示す図である。（実施例１）
【図２】図２は、ティッシュペーパー用装飾装置の使用を説明する図である。（実施例１）
【図３】図３は、光路を説明する図である。（実施例１）
【図４】図４は、単純な電気回路の一例を示す図である。（実施例２）
【図５】図５は、機能を備える電気回路の一例を示す図である。（実施例３）
【発明を実施するための形態】
【００２２】
以下、本発明の実施例を図面を参照して詳細に説明する。
【実施例１】
【００２３】
図１は、ティッシュペーパー用装飾装置の外観を示す図である。同図に示すように、ティッシュペーパー用装飾装置１０は、ティッシュ透過溝１１と、ティッシュ透過溝１１の周縁に設けられティッシュボックス２０に載置される板部１２と、板部１２に設けられティッシュ透過溝１１の上方に有色の光を照射する２つの発光体１３と、を備えている。
【００２４】
ティッシュ透過溝１１は、板部１２の中央部に設けられており、板部１２の厚さ方向に貫通している。ティッシュ透過溝１１は、平面視略長方形状に形成され、市販の紙製のティッシュボックスに収納されているティッシュペーパーを通すことができる程度のサイズを有する。
【００２５】
板部１２は、例えば合成樹脂で形成された平板であり、外形が平面視略長方形状に形成されている。なお、板部１２はティッシュボックスの上面に載置できる形状であればよく、平板形状でなく、波形状であってり、上面の凹凸を有したりしてもよい。また、板部１２の外形の平面形状は長方形状に限らず、例えば、楕円形状であってもよいし、菱形形状であってもよい。
【００２６】
発光体１３はティッシュ透過溝１１の周縁に設けられており、例えば、赤、青等の有色光を上斜方向に照射する。発光体１３はＬＥＤ（Light Emitting Diode）である。なお、発光体１３はＬＥＤに限らず、例えば、豆電球や麦球であってもよい。また、発光体１３の数は２つに限らず、１つでも３つ以上であってもよい。
【００２７】
板部１２の主面のうち、発光体１３が設けられている側の主面には、照度センサ１４及び電源スイッチ１５が設けられている。照度センサ１４は、例えばフォトトランジスタで構成され、板部１２の上方の光量を検出する。電源スイッチ１５は、発光体１３の点灯／消灯を切り替える。なお、照度センサ１４は必ずしも設けなくともよい。また、電源スイッチ１５は外観に露呈しない無線スイッチ等であってもよい。
【００２８】
図２は、ティッシュペーパー用装飾装置の使用を説明する図である。図２（Ａ）に示すように、ティッシュペーパー用装飾装置１０を、ティッシュ透過溝１１がティッシュボックス２０の上面中央部に開口する取出口２１の真上に位置するように、ティッシュボックス２０の上面に載置する。その結果、図２（Ｂ）に示す状態となる。ティッシュ透過溝１１の上方には、ティッシュボックス２０内に収納されたティッシュペーパー３０のうち最上部のティッシュペーパー３０が、取出口２１及びティッシュ透過溝１１を貫通して取り出されることができ、外部に露出している。すなわち、ティッシュペーパー用装飾装置１０をティッシュボックス２０の上面に載置しても、ティッシュペーパーを使用することが可能である。
【００２９】
図２（Ｂ）の状態で、発光体１３に電力を供給すると、光１３１がティッシュペーパー３０に照射され、ティッシュペーパー３０に反射された光が装飾１３２を生成する。
【００３０】
また、ティッシュペーパー用装飾装置１０には、発光体１３に電力を供給する電源（不図示）が設けられている。電源としては、電池（乾電池、ボタン電池、コイン電池）、ＡＣアダプタ（ＤＣ５Ｖ）、ＡＣ１００Ｖ電源（ＡＣ／ＤＣコンバータによる直流電源）、ソーラーバッテリー等を用いることができる。
【００３１】
図３は、ティッシュケースを用いる場合の光路を説明する図である。図３（Ａ）は、図２（Ｂ）を左側方から見た図である。ティッシュペーパー３０に発光体１３からの光が照射される。ここで、光軸１３３（照射角を持って照射される光の中心）は、ティッシュ透過溝１１の上方（およそ、ティッシュペーパー３０の位置）を横切る高さＨは、３０〜１５０ｍｍとする。好ましくは、４０ｍｍとするとよい。これにより、ティッシュ透過溝１１から露出しているティッシュペーパー３０の高さが低い場合にも、ティッシュ透過溝１１付近のティッシュペーパー３０に対して強い光を照射することができ、当該ティッシュペーパー３０を綺麗に装飾することができる。
【００３２】
図３（Ａ）において、ティッシュペーパー３０に当たらない余分な光Ｌが外部に放出されている。この光が気になるのであれば、図３（Ｂ）に示すように、ティッシュペーパー用装飾装置１０及びティッシュボックス２０を、例えば木製の不透明なティッシュケース４０に収容するとよい。光は、ティッシュ取出し孔４１を通ってティッシュペーパー３０を装飾し、余分な光Ｌはティッシュケース４０の本体に遮られて外部に放出されないようにすることが可能となる。
【００３３】
以上詳細に説明したように、本実施例のティッシュペーパー用装飾装置１０によれば、板部１２をティッシュボックス２０に載置し、ティッシュ透過溝１１の直上のティッシュペーパーに有色の光を照射して、装飾を楽しむことができる。
【実施例２】
【００３４】
本実施例は、電気回路を説明するものである。ティッシュペーパー用装飾装置１０の外観は実施例１と同様であり、同一のものに同一の符号を付して表し、詳細な説明を省略する。
【００３５】
図４は、単純な電気回路の一例を示す図である。電気回路は、板部１２の内部に設けられている（発光体１３及び電源スイッチ１５の操作部分を除く）。電池と、発光体１３と、電源スイッチ１５とによって、ティッシュペーパー用装飾装置１０が構成される。
【００３６】
ユーザは、電源スイッチ１５を操作して、発光体１３の点灯／消灯を切り替え、ティッシュペーパー用装飾装置１０による装飾を楽しむことができる。
【００３７】
なお、本実施例では、照度センサ１４は設けられていない。
【００３８】
以上詳細に説明したように、本実施例のティッシュペーパー用装飾装置１０は、簡易な構成で、ティッシュ透過溝１１の直上のティッシュペーパーに有色の光を照射して、装飾を楽しむことができる。
【実施例３】
【００３９】
本実施例は、電気回路により実現される追加の機能を説明するものである。ティッシュペーパー用装飾装置１０の外観は実施例１と同様であり、電気回路の基本部分は実施例２と同様であり、同一のものに同一の符号を付して表し、詳細な説明を省略する。
【００４０】
図５は、機能を備える電気回路の一例を示す図である。図４に比して、（１）色相制御器１６１及び光量制御器１６２の機能を有する１チップマイコン１６、（４）照度センサ１４、Ａ／Ｄ変換器１４１及びＥＥＰＲＯＭ１４２、（３）スイッチ１７、が追加されている。
【００４１】
１チップマイコン１６は、ハードウエアとして、ＣＰＵ（Central Processing Unit）と、各種プログラム及びデータを記憶するＲＡＭ（Random Access Memory）、ＲＯＭ（Read Only Memory）等のメモリと、入出力インターフェースと（いずれも非図示）、を備えている。１チップマイコン１６のＣＰＵがメモリに記憶されたプログラムを実行することにより、発光体１３から照射される光が制御される。
【００４２】
光の制御としては、例えば発光体１３がＬＥＤであれば、印加する電圧を変化させることにより発光量を調整し、赤色、緑色、青色のダイオードに印加する電圧の比率を変化させることにより色相を調整することができる。
【００４３】
１チップマイコン１６には、色相制御器１６１及び光量制御器１６２の機能が実装されている。
【００４４】
色相制御器１６１は、発光体１３から照射される光の色相を制御する。例えば、ユーザの指示を受けて赤色、青色、黄色、緑色を出し分けることができる。また、２の発光体１３を異なる色相で発光させることもできる。
【００４５】
光量制御器１６２は、発光体１３から照射される光の光量を制御する。光量の制御方法としては、印加する電圧によることもできるが、例えば、ＰＭＷ（Pulse Width Modulation：パルス幅変調）制御方式を用いることもできる。この場合には、ＯＮ／ＯＦＦの繰り返しスイッチングにより電力制御を行う際に、光量制御器１６２は、光量を増加させる場合にはＯＮの時間を長くし、光量を減少させる場合にはＯＦＦの時間を長くする。なお、光量の制御方法としては、印加電圧の調整、ＰＭＷ制御方式に限らず、任意の公知の技術を用いることができる。
【００４６】
光量制御器１６２による光量制御としては、装飾１３２を見やすくするため、周囲の明るさに合わせて光量を調整することが考えられる。具体的には、照度センサ１４によって周囲の光量を検出し、検出された光量が大きい場合に発光体１３から多くの光量を照射する。
【００４７】
光量制御器１６２は、照度センサ１４が検出した光量に応じて、発光体１３から照射される光の光量を定める関数の値を計算するプログラムを用いることができる。この関数は、単調非減少関数とする（単調増加関数が好ましいが、発光体１３から照射することのできる光量に上限があるので単調非減少関数となる）。
【００４８】
単調非減少な関数としては、例えば、照度センサ１４により検出された光量と、発光体１３が照射する光の光量と、の差が一定の値となる関数を用いることができる。（ただし、発光体１３から照射することのできる光量の上限を超える場合にはその上限の光量とする。）
【００４９】
照度センサ１４がいかなる方向からの光量を検出するかは設計事項として定めてよいが、ティッシュボックス２０が机上等に置かれ、下方に空間がなく上方に空間がある場合が多いことに鑑みれば、板部１２の真上からの光量を検出することが好ましい。なお、ティッシュケース４０を用いる場合には、検出されるべき光がティッシュケース４０によって遮られてしまう可能性がある。かかる問題に対応するため、照度センサ１４をティッシュケース４０の外側に設ける、ティッシュケース４０に透光孔を設ける、その他の対応をすることが好ましい。
【００５０】
また、発光体１３から発行される光量を検出すると、その検出によって発光体１３から照射する光量が増加し、その増加後の光量が検出されて照射する光量がさらに増加する形態で光量の値が発散してしまうリスクがあるので、発光体１３から発行される光量をあまり多く検出しないようにすることが好ましい、
【００５１】
光量制御器１６２が照度センサ１４の検出した光量を知る手段としては、照度センサ１４の出力する照度電圧値をＡ／Ｄ変換器１４１に入力し、デジタル値を１チップマイコン１６の光量制御器１６２が読取ればよい。
【００５２】
また、継続的に変化する照度電圧値を光量制御器１６２が監視せずに、ＥＥＰＲＯＭ（Electrically Erasable Programmable Read-Only Memory）１４２に保存し、光量制御器１６２がＥＥＰＲＯＭ１４２を読取ることとしてもよい。
【００５３】
以上のように、光量制御器１６２によって、板部１２の上方の光量の増減に応じて発光体１３からティッシュペーパー３０に照射される光量を増減させることで、ティッシュペーパー３０を適切な明るさの光で綺麗に装飾することができる。
【００５４】
スイッチ１７は、１チップマイコン１６に制御に係るユーザの要望を伝達するものである。スイッチ１７のＯＮ／ＯＦＦは、スイッチを有する導線の電圧差を変化させるので、１チップマイコン１６は、そのＯＮ／ＯＦＦを検出することができる。図には２つのみのスイッチ１７を示したが、１以上の任意の数ｎ個のスイッチ１７を設けることができる。ｎ個のスイッチ１７のＯＮ／ＯＦＦにより、2ｎ通りのうちの１つをユーザの要望として伝達することができる。
【００５５】
例えば、スイッチ１７のうちの１つを、上述の光量制御器１６２の動作を自動的に行う「自動モード」と、上述の光量制御器１６２の動作を自動的に行わずに光量をユーザが別途調整する「手動モード」との切り替えとすることができる。「自動モード」では、発光体１３が照射する光量が１チップマイコン１６によって自動的に制御される。
【００５６】
「手動モード」では、スイッチ１７のうちの該１つ以外のものによって、ユーザが光量を調整する。例えば、２つのスイッチで光量を調整するものとし、１つのスイッチについてそれを押下している間は光量を増加させるものとし、別の１つのスイッチについてそれを押下している間は光量を増加させるものとすることができる。
【００５７】
また、「自動モード」「手動モード」のいずれにおいても、ユーザは、スイッチ１７を操作して、色相を調整することができる。例えば、上述の光量の調整に使用するスイッチ以外のスイッチのうち６つを色相の調整に用いるものとし、赤色の光量の増加、赤色の光量の減少、緑色の光量の増加、緑色の光量の減少、青色の光量の増加、青色の光量の減少、を行わせることとすれば、ユーザの操作によって色相を調整することができる。
【００５８】
以上のように、複数のスイッチ１７を光量の調整に用いるスイッチと色相の調整に用いるスイッチとに分けることで、ユーザが各々のスイッチを操作する効果を把握することが容易になる。むろん、スイッチ（ｎビットのうちの１つの値）に明白な意味を持たせずに、要望を仔細に2ｎ通りに分けてもよい。
【００５９】
また、複数のスイッチ１７の各々を、ユーザが操作している間のみＯＮとなるプッシュスイッチと、ユーザの１度の操作でＯＮ／ＯＦＦが切り替わりそれが継続するスライドスイッチとの、いずれとするかを設計事項として定めてよい。例えば、光量を増加／減少を指示するためにはプッシュスイッチが使いやすく、「自動モード」「手動モード」の切替を指示するためにはスライドスイッチが使いやすい。
【００６０】
ユーザの操作による調整の結果をＥＥＰＲＯＭ１４２に記憶し、次回に電源スイッチ１５がＯＮになった時に使用することとしてもよい。
【００６１】
なお、電源スイッチ１５及びスイッチ１７については、これらのスイッチを手で押下するためのボタンを板部１２の表面に設けるものとして説明した。ただし、リモコン等により無線遠隔操作ができるようにしてもよい。無線遠隔操作に用いる通信方式としては、ブルートゥース（登録商標）、ＷｉＦｉ、微弱電波、２．４Ｇ帯通信、赤外線通信等を使用することができる
【００６２】
以上詳細に説明したように、本実施例のティッシュペーパー用装飾装置１０は、発光体１３から照射される光の色相や光量を自動又は手動で制御することができ、一層装飾性を高めることができる。
【００６３】
なお、本実施例において、１チップマイコン１６による計算を絶対的に必要とする部分は、照度センサ１４が検出した光量に応じて発光体１３から照射される光の光量を定める関数の値を計算するプログラムによる計算のみである。他の部分については、例えばスイッチ１７に替えて可変抵抗を用いて電圧を調整することにより、１チップマイコン１６を用いない全て手動による調整とすることもできる。
【産業上の利用可能性】
【００６４】
ティッシュボックス入りのティッシュペーパーに対する光による装飾性を高めるティッシュペーパー用装飾装置である。多くの個人、飲食店、集会場等による利用が考えられる。
【符号の説明】
【００６５】
１０    ティッシュペーパー用装飾装置
１１    ティッシュ透過溝
１２    板部
１３    発光体
１３１  光
１３２  装飾
１４    照度センサ
１４１  Ａ／Ｄ変換器
１４２  ＥＥＰＲＯＭ
１５    電源スイッチ
１６    １チップマイコン
１６１  色相制御器
１６２  光量制御器
１７    スイッチ
２０    ティッシュボックス
３０    ティッシュペーパー
４０    ティッシュケース
４１    ティッシュ取出し孔
【図１】
2019099166.tif 000003
【図２】
2019099166.tif 000004
【図３】
2019099166.tif 000005
【図４】
2019099166.tif 000006
【図５】
2019099166.tif 000007